(57)【特許請求の範囲】
【請求項１】
配電盤，制御盤などの盤内に装備した回路遮断器を盤外から開閉操作する外部操作ハンドル装置であって、回路遮断器の本体ケースに固定する取付ベースに、ロータリー式のハンドル把手，該ハンドル把手に連結軸を介して結合したターンベース，スライド可能に案内支持してターンベースに連繋したスライドベースを搭載し、前記ハンドル把手の回転操作により回路遮断器のロッカーハンドルをＯＮ，ＯＦＦ位置に駆動するようにしたものにおいて、
回路遮断器のトリップ動作時に前記ハンドル把手をＴＲＩＰ表示位置に移動させる助勢手段として、取付ベースとハンドル把手との間に、取付ベース上に固定したカム体と、ハンドル把手に軸方向へスライド可能に連結して前記カム体のカム面に対峙させたカムフォロアと、カムフォロアをカム面に押圧する付勢ばねからなるアシスト機構を介装したことを特徴とする回路遮断器の外部操作ハンドル装置。
【請求項２】
請求項１に記載の外部操作ハンドル装置において、カム体がその端面に山部と谷部のカム面を軸対称に形成した円筒形の端面カム、カムフォロアがカム体の端面を横切る凸状接触子を備えたものであることを特徴とする回路遮断器の外部ハンドル装置。
【請求項３】
請求項１に記載の外部操作ハンドル装置において、アシスト機構を、ハンドル把手とターンベースとの間を連結する中空軸の内方に同心配置したことを特徴とする回路遮断器の外部操作ハンドル装置。
【発明の詳細な説明】
【技術分野】
【０００１】
本発明は、配線用遮断器，漏電遮断器などを対象とした回路遮断器に適用する外部操作ハンドル装置に関する。
【背景技術】
【０００２】
配線用回路遮断器，漏電遮断器などの付属装置として、配電盤，制御盤などに装備した回路遮断器を盤外から開閉操作する外部操作ハンドル装置がある。
この外部操作ハンドル装置は、取付ベースにロータリー式のハンドル把手，該ハンドル把手にターンベースを介して連繋したスライドベースを装備した構成になり、当該ハンドル装置を回路遮断器に組付けた状態で前記スライドベースに回路遮断器のロッカーハンドルを係合し、ハンドル把手の回転操作によりターンベース，スライドベースを介して回路遮断器のロッカーハンドルをＯＮ，ＯＦＦ位置に駆動する。
【０００３】
また、上記の外部操作ハンドル装置について、その可動機構の摺動摩擦抵抗などが原因で回路遮断器のトリップ動作時にＯＮ位置からＴＲＩＰ表示位置に向けて移動するハンドル把手がＴＲＩＰ表示位置の手前で停止してしまうといった不具合を防ぎ、回路遮断器のトリップ動作を正しく表示できるようにする助勢手段として、前記スライドベースに形成したカム部を挟んで左右両側にローラ付きのレバーを配し、付勢ばねにより前記ローラを介してスライドベースの移動方向と直交する方向から加圧力を加え、そのテーパーカム面に作用するばね力によりスライドベースに連繋したハンドル把手をＴＲＩＰ表示位置に移動させるようにしたアシスト機構が本発明と同一出願人より先に提案されており（特許文献１参照）、次にその構成を図５〜図８に示す。
【０００４】
各図において、１は回路遮断器、２は回路遮断器１に組付けた外部操作ハンドル装置である。ここで、回路遮断器１は、本体ケース１ａに固定接触子１ｂ、可動接触子１ｃ、トグルリンク式の開閉機構１ｄ、該開閉機構１ｄに連繋してケース１ａの頂部に配したロッカーハンドル１ｅ、および過電流引外し装置１ｆなどを装備した構成になる。
かかる回路遮断器１の開閉動作は周知の通りであり、ロッカーハンドル１ｅを図示のＯＮ位置から左側に倒してＯＦＦ位置に切換えると開閉機構１ｄのトグルリンクが反転動作し、その開閉ばねの付勢を受けて可動接触子１ｃが開極動作する。また、主回路に過電流が流れて過電流引外し装置１ｆが作動すると開閉機構１ｄがトリップ動作し、これに従動して可動接触子１ｃが開極して電流を自動遮断する。なお、このトリップ動作によりロッカーハンドル１ｅは、開閉機構１ｄのトグルリンクの動きに従動してＯＮ位置からＯＦＦ位置との中間位置（トリップ表示位置）に移動して停止する。
【０００５】
一方、外部操作ハンドル装置２は、先記の特許文献１に詳しく述べられているように、取付ベース３にロータリー式のハンドル把手４，ターンベース５，スライドベース６，ハンドルカバー７を組付けた構成になり、回路遮断器１に装着した状態（図５参照）でロッカーハンドル１ｅを前記スライドベース６に係合させている。
ここで、ターンベース５はハンドル把手４の軸に連結されている。一方、スライドベース６は取付ベース３の裏面側に配置してロッカーハンドル１ｅの開閉方向へスライド可能に案内支持されており、その板面中央にはスライド方向と直交する向きに長穴を開口し、この長穴に前記ターンベース５に設けたピン（クランクピン）５ａを嵌合してハンドル把手４に連繋している。また、スライドベース６の裏面側には、回路遮断器１のロッカーハンドル１ｅの把手を前後から挟むようにハンドルアーム６ａが突き出している。なお、ハンドルカバー７の端面周上に銘板７ａを貼着し、ここにハンドル把手４のＯＮ，ＴＲＩＰ，ＯＦＦ，ＲＥＳＥＴの各位置を表示している。
【０００６】
上記の構成でハンドル把手４を手動操作でＯＮ位置からＯＦＦ位置に回すと、ターンベース５のピン５ａを介してスライドベース５が図５の位置から左方向にスライド移動し、ハンドルアーム６ａを介して回路遮断器１のロッカーハンドル１ｅをＯＦＦ位置に切り換える。
また、前記スライドベース６には、特許文献１に開示されているカム部，および該カム部のテーパーカム面に左右からローラを当接してばね力を加える加圧レバーからなる次記構成のアシスト機構を備えている。すなわち、図８で詳示するように、スライドベース６の下面にカム部６ｂを形成するとともに、このカム部６ｂを左右から挟んで取付ベース３の左右両側には一端をねじ８ａで枢支した一対のレバー８ｂを装着し、該レバー８ｂに設けたローラ（ベアリング）８ｃを付勢バネ８ｄによりカム面６ｂ−１に押圧するようにしている。
【０００７】
上記の構成で、回路遮断器１がトリップ動作すると、ロッカーハンドル１ｅに押されてスライドベース６が図８の位置（ＯＮ）から左方に移動開始し、その移動途上でカム部６ｂに当接しているローラ８ｃがカム面のテーパー部分に差しかかると、付勢ばね８ｄのばね力によりスライドベース６には左方向への駆動力が働くようになる。これにより、外部操作ハンドル装置２のハンドル把手４がＯＮ位置から図７に示すＴＲＩＰ位置に移動して回路遮断器のトリップ動作を表示する。
【特許文献１】特開２００５−１４９９１８号公報
【発明の開示】
【発明が解決しようとする課題】
【０００８】
ところで、外部操作ハンドル装置に装備した従来のアシスト機構は、左右一対のレバー８，ローラ８ｃ，付勢ばね８ｄを含めた部品点数，およびその組立工数が多くなって製品コストが増すほか、取付ベース３にはこれら部品の占有スペースを確保するために外部操作ハンドル装置が大形化する。
本発明は上記の点に鑑みなされたものであり、その目的は部品点数，組立工数の削減化と併せて、装置の小形コンパクト化が図れるようにアシスト機構の構造を改良した回路遮断器の外部操作ハンドル装置を提供することにある。
【課題を解決するための手段】
【０００９】
上記目的を達成するために、本発明によれば、回路遮断器の本体ケースに固定する取付ベースに、ロータリー式のハンドル把手，該ハンドル把手に連結軸を介して結合したターンベース，ターンベースに連繋したスライドベースを搭載した組立構造になる外部操作ハンドル装置において、
回路遮断器のトリップ動作時に前記ハンドル把手をＴＲＩＰ表示位置に移動させる助勢手段として、取付ベースとハンドル把手との間に、取付ベース上に固定したカム体と、ハンドル把手に軸方向へスライド可能に連結して前記カム体のカム面に対峙させたカムフォロアと、カムフォロアをカム面に押圧する付勢ばねからなるアシスト機構を介装配備するものとし（請求項１）、そのアシスト機構は具体的に次記のような態様で構成する。
（１）前記のカム体は、その端面に山部と谷部のカム面を軸対称に形成した円筒形の端面カムとなし、該カム体に当接するカムフォロアにはカム体の端面を横切る凸状接触子を備えた構成とする（請求項２）。
（２）前記のアシスト機構を、ハンドル把手とターンベースとの間を連結する中空軸の内方に同心配置する（請求項３）。
【発明の効果】
【００１０】
上記の構成において、回路遮断器の閉極状態ではアシスト機構のカムフォロアがカム体のカム面山部に当接し、この位置で付勢ばねにより押圧されている。ここで、回路遮断器がトリップ動作し、そのロッカーハンドルの動きに連動してハンドル把手がＯＮ位置からＴＲＩＰ表示位置に向けて回転移動し始めると、ハンドル把手に連結したカムフォロアの接触子は、カム体の端面山部から谷部に向かう傾斜面を付勢ばねのばね圧を受けて加速的に滑り落ち、同時にばね力がカムフォロアに回転力を与えるようになる。
【００１１】
これにより、外部操作ハンドル装置の可動部（ターンベース，スライドベースなど）に作用する摺動摩擦抵抗に打ち勝って、ハンドル把手をＯＮ位置からＴＲＩＰ表示位置へ強制移動して回路遮断器のトリップ動作を正しく表示させることができる。
しかも、このアシスト機構はカム体，カムフォロア，付勢ばねの部品組立体になり、かつハンドル把手とターンベースとの間を繋ぐ中空連結軸の内方に同心配置し、その外側をハンドルカバーで覆うようにしたので、図８に示した従来構造と比べて外部操作ハンドル装置を小形，コンパクトに構成できる。
【発明を実施するための最良の形態】
【００１２】
以下、本発明の実施の形態を図１〜図４に示す実施例に基づいて説明する。なお、実施例の図中で図５〜図８に対応する部材には同じ符号を付してその説明は省略する。
すなわち、図示実施例の外部操作ハンドル装置２では、ハンドル把手４とターンベース５との間を中空構造の連結軸９を介して連結しており、この中空連結軸９の内方にはカム体１０，カムフォロア１１，付勢ばね１２，ばねカバー１３の組立体からなるアシスト機構１４がハンドル把手４とターンベース５との間に介装配置されている。
【００１３】
ここで、図２の分解図で示すように、中空連結軸９はその上端の角柱軸部９ａをハンドル把手４の下面に開口した穴に圧入し、下端周縁に形成した係合突起９ｂをターンベース５の板面に開口した係合穴に係合して両者間を連結している。
一方、アシスト機構１４のカム体１０は、その端面に山部と谷部とが軸対称に連なるカム面１０ａが形成された円筒形の端面カムであり、取付ベース３の上面中心位置に突設した十字状の突起３ｄに嵌合してこの位置に固定支持されている。また、カム体１０の上に対峙するカムフォロア１１は、その角柱スタッドに付勢ばね（圧縮スプリング）１２をカバー１３と一緒に挿入した上で、前記中空連結軸９の頂部に形成した角状窪みに嵌合して回り止め連結しており、カムフォロア１１の先端にはカム体１０のカム面１０ａを半径方向に横切るような凸壁状の接触子１１ａが形成されている。
【００１４】
なお、図２の取付ベース３において、３ａは回路遮断器１の本体ケース１ａ（図５参照）に固定する脚部、３ｂはスライドベース６をスライド可能に案内支持するレール、３ｃはハンドルカバー７の嵌合支持ガイドである。また、ハンドルカバー７にはハンドル把手４を回転自在に案内支持するリング状のガイドレール７ａが形成されている。
次に上記構成になるアシスト機構の動作について説明する。まず、外部操作ハンドル装置２のハンドル把手４をＯＮ位置に移動した回路遮断器の閉極状態では、図３で示すようにハンドル把手４に連結したカムフォロア１１の接触子がカム体１０の端面に形成したカム面の山部に載ってこの位置に停止保持されている。ここで、回路遮断器がトリップ動作し、図５で述べたように回路遮断器１のロッカーハンドル１ｅの動きに従動して外部操作ハンドル装置２のハンドル把手４がＴＲＩＰ表示位置に向けて回転移動し始めると、ハンドル把手４に連結したカムフォロア１１の接触子は、カム体１０の端面に形成したカム面の山部から谷部に向かう傾斜面を付勢ばね１２のばね圧を受けて加速的に滑り落ち、同時に付勢ばね１２のばね力がカムフォロア１１に反時計方向の回転トルクを与える。
【００１５】
これにより、外部操作ハンドル装置２の可動部（ターンベース５，スライドベース６など）に作用する摺動摩擦抵抗に打ち勝って、ハンドル把手４をＯＮ位置からＴＲＩＰ表示位置へ加速移動させて回路遮断器のトリップ動作を正しく表示させることができる。
しかも、アシスト機構１４はカム体１０，カムフォロア１１，付勢ばね１２，ばねカバー１３の部品組立体からなり、かつハンドル把手４とターンベース５との間を繋ぐ中空連結軸９の内方に同心配置し、その外側をハンドルカバー７で覆うように構成したので、図８に示した従来構造と比べて外部操作ハンドル装置２が小形，コンパクトな構成となる。
【図面の簡単な説明】
【００１６】
【図１】回路遮断器に組み付けた本発明実施例の外部操作ハンドル装置の組立構造を表す縦断面図
【図２】図１における外部操作ハンドル装置の分解斜視図
【図３】図１のＯＮ位置に対応する外部操作ハンドル装置の動作状態を表す図
【図４】回路遮断器のトリップ動作時における外部操作ハンドル装置の動作状態を表す図
【図５】従来の外部操作ハンドル装置を回路遮断器に組付けた状態の側視断面図
【図６】図５の俯瞰図
【図７】図５における外部操作ハンドル装置の上面図
【図８】図５の外部操作ハンドル装置に装備したアシスト機構の構造を表すスライドベース周辺の背面図
【符号の説明】
【００１７】
１    回路遮断器
１ｅ  ロッカーハンドル
２    外部操作ハンドル装置
３    取付ベース
４    ハンドル把手
５    ターンベース
６    スライドベース
７    ハンドルカバー
９    中空連結軸
１０    カム体
１０ａ  カム面
１１    カムフォロア
１１ａ  接触子
１２    付勢ばね
１４    アシスト機構
【図１】
0004735418.tif 000002
【図２】
0004735418.tif 000003
【図３】
0004735418.tif 000004
【図４】
0004735418.tif 000005
【図５】
0004735418.tif 000006
【図６】
0004735418.tif 000007
【図７】
0004735418.tif 000008
【図８】
0004735418.tif 000009